(57)【要約】      （修正有）【課題】ドレンパン内の検査やドレンパン内への抗菌材の供給を含む当該ドレンパンの保守作業を外部から容易に行うことができる空気調和機を提供する。【解決手段】略箱形状のケーシング１と、このケーシング内に配設された送風機２０と、前記ケーシング内に配設された熱交換器３０と、この熱交換器からの凝縮水を貯留するドレンパン４０と、このドレンパンに溜まった前記凝縮水を機外に排出するドレンポンプ５０と、を備えた空気調和機Ａ。当該空気調和機を保守するためのフレキシブルな長尺体を、外部から前記ドレンパンの底部付近まで挿通させることができる通路６０を更に備えている。この通路は、直線部、鈍角の屈曲部及び曲線部の１種又は２種以上だけで構成されている。また、前記通路は、前記ドレンポンプの吸込口５１よりも高い位置にある高位通路部６１を有する。【選択図】図３
2011012850.tif 000002
【特許請求の範囲】
【請求項１】
略箱形状のケーシング（１）と、このケーシング（１）内に配設された送風機（２０）と、前記ケーシング（１）内に配設された熱交換器（３０）と、この熱交換器（３０）からの凝縮水を貯留するドレンパン（４０）と、このドレンパン（４０）に溜まった前記凝縮水を機外に排出するドレンポンプ（５０）と、を備えた空気調和機（Ａ）であって、
当該空気調和機（Ａ）を保守するためのフレキシブルな長尺体を、外部から前記ドレンパン（４０）の底部付近まで挿通させることができる通路（６０）を更に備えており、
この通路（６０）は、直線部、鈍角の屈曲部及び曲線部の１種又は２種以上だけで構成されており、且つ、
前記通路（６０）は、前記ドレンポンプ（５０）の吸込口（５１）よりも高い位置にある高位通路部（６１）を有することを特徴とする空気調和機（Ａ）。
【請求項２】
前記フレキシブルな長尺体が、ドレンパン（４０）内を検査するためのファイバースコープ、ドレンパン（４０）内の凝縮水を外部に排出するための排水用チューブ、ドレンパン（４０）内に抗菌材を供給するための抗菌材供給用長尺体、及びドレンパン（４０）の底部付近に洗浄水を供給するための注水用チューブの少なくとも１つである請求項１に記載の空気調和機（Ａ）。
【請求項３】
前記通路（６０）が、ドレンパン（４０）内を検査するためのファイバースコープを挿通させる第１通路と、ドレンパン（４０）内の凝縮水を外部に排出するための排水用チューブを挿通させる第２通路とからなる請求項１に記載の空気調和機（Ａ）。
【請求項４】
前記通路（６０）が、ドレンパン（４０）内を検査するためのファイバースコープを挿通させる第１通路と、ドレンパン（４０）内の凝縮水を外部に排出するための排水用チューブを挿通させる第２通路と、ドレンパン（４０）内に抗菌材を供給するための抗菌材供給用長尺体を挿通させる第３通路とからなる請求項１に記載の空気調和機（Ａ）。
【請求項５】
前記第１通路の機内側開口は、前記第２通路の機内側開口よりも上方に配置されている請求項３又は４に記載の空気調和機（Ａ）。
【請求項６】
前記ドレンパン（４０）内の凝縮水を外部に排出するための排水用チューブが配設されており、この排水用チューブは、前記ドレンポンプ（５０）の吸込口（５１）よりも高い位置にある高位通路部を有する請求項１に記載の空気調和機（Ａ）。  
【請求項７】
空気の吸込口を有する化粧パネルを備えており、
前記通路（６０）の出口（６２）が、前記化粧パネル（１０）の吸込口（１１）の上方に配設されている請求項１〜６のいずれかに記載の空気調和機（Ａ）。
【請求項８】
空気の吸込口を有するとともに、その隅部に着脱自在のコーナーカバー（１３）が設けられた化粧パネルを備えており、
前記通路（６０）の出口（６２）が、前記コーナーカバー（１３）の上方に配設されている請求項１〜６のいずれかに記載の空気調和機（Ａ）。
【請求項９】
前記通路（６０）の出口（６２）に開閉自在の蓋部（６３）が配設されている請求項１〜８のいずれかに記載の空気調和機（Ａ）。
【請求項１０】
前記ドレンパン（４０）の側面（４３）に、当該ドレンパン（４０）の内側底面（４４）からの高さを示す目盛り（９０）が付されている請求項１〜９のいずれかに記載の空気調和機（Ａ）。
【請求項１１】
前記第３通路の機内側開口（８４）に、抗菌材（８３）を収容するための保持部（８２）が設けられている請求項４又は５に記載の空気調和機（Ａ）。
【請求項１２】
前記保持部（８２）の少なくとも一部がメッシュ、ネット又は格子で構成されている請求項１１に記載の空気調和機（Ａ）。
【請求項１３】
前記通路（６０）の出口（６２）付近に、当該出口（６２）から排出される凝縮水を受ける収容容器を係止するための係止部（６４）が配設されている請求項１又は２に記載の空気調和機（Ａ）。
【請求項１４】
前記通路（６０）が、前記ドレンパン（４０）と、このドレンパン（４０）を覆う蓋体（４２）とで形成されている請求項１〜１３のいずれかに記載の空気調和機（Ａ）。
【請求項１５】
前記通路（６０）の出口（６２）に、フレキシブルな長尺体であるチューブを接続するための接続具（１７０、２７０、３７０）が配設されている請求項１〜１４のいずれかに記載の空気調和機（Ａ）。
【発明の詳細な説明】
【技術分野】
【０００１】
本発明は空気調和機に関する。さらに詳しくは、ドレンパンに溜まった熱交換器からの凝縮水をドレンポンプで機外に排出する、天井埋設型又は天井吊下型の空気調和機に関する。
【背景技術】
【０００２】
天井埋設型又は天井吊下型の空気調和機（室内機）では、通常、熱交換器の下方に配設されたドレンパンに溜まった熱交換器からの凝縮水をドレンポンプで機外に排出している。
【０００３】
ところで、空気調和機を運転すると、室内に浮遊する塵埃やタバコの煙などが熱交換器のフィンに付着し、この塵埃などは凝縮水とともにドレンパン内に落下する。かかる塵埃などの量が増えてくると、これを含んだ凝縮水は泥水状となり、この泥水状の凝縮水をドレンポンプで吸引すると、当該泥水に含まれる塵埃などの塊がドレンポンプの吸込口や排出口に詰まって排水不良となる惧れがある。
【０００４】
この排水不良を防ぐために、従来、ドレンポンプ及びドレンパンが取り外し可能なまでに空気調和機を分解して、当該ドレンパンなどの清掃を手作業で行っていたが、このような清掃作業は時間と労力を要し不経済であった。
【０００５】
そこで、空気調和機を分解することなく、外部からドレンパン内に溜まった泥水状の凝縮水を排出することができる空気調和機が提案されている（例えば、特許文献１参照）。特許文献１記載のドレンパンには、吸引部と排出部とを有する清掃管が設けられており、吸引部の吸引口はドレンパンの底部近傍に固定され、一方、排出部の排出口は空気調和機外に露出し、室内にある泥水用掃除機と接続できるようにされている。
【先行技術文献】
【特許文献】
【０００６】
【特許文献１】特開２００７−１２０８５１号公報
【発明の概要】
【発明が解決しようとする課題】
【０００７】
しかしながら、特許文献１記載の空気調和機では、ドレンパンを空気調和機から取り外すことなく当該ドレンパンの底部付近に溜まった凝縮水を外部に排出することはできるものの、ドレンパン内部の汚れを確認したり、ドレンパン内に抗菌材を充填したりする保守作業を行うためには、やはりドレンパンを空気調和機から取り外す必要がある。
【０００８】
建築物における衛生的環境の確保に関する法律（ビル衛生管理法）では、ドレンパン内の汚れを１ヶ月に１度の割合で目視にて点検し、汚れている場合にはドレンパン内の清掃をすること（具体的には、ドレンパンの底部に付着したスライムの除去作業など）が規定されているが、特許文献１記載の空気調和機では、ドレンパンを空気調和機から取り外してからでないと、このような目視による検査やドレンパンの底部に付着したスライムの除去作業を行うことができない。
【０００９】
本発明は、このような事情に鑑みてなされたものであり、ドレンパン内の検査やドレンパン内への抗菌材の供給を含む当該ドレンパンの保守作業を外部から容易に行うことができる空気調和機を提供することを目的としている。
【課題を解決するための手段】
【００１０】
本発明の空気調和機は、略箱形状のケーシングと、このケーシング内に配設された送風機と、前記ケーシング内に配設された熱交換器と、この熱交換器からの凝縮水を貯留するドレンパンと、このドレンパンに溜まった前記凝縮水を機外に排出するドレンポンプと、を備えた空気調和機であって、
当該空気調和機を保守するためのフレキシブルな長尺体を、外部から前記ドレンパンの底部付近まで挿通させることができる通路を更に備えており、
この通路は、直線部、鈍角の屈曲部及び曲線部の１種又は２種以上だけで構成されており、且つ、
前記通路は、前記ドレンポンプの吸込口よりも高い位置にある高位通路部を有することを特徴としている。
【００１１】
本発明の空気調和機は、フレキシブルな長尺体を、ドレンパンの外部から当該ドレンパンの底部付近まで挿通させることができる通路を備えている。この通路は、直線部、鈍角の屈曲部及び曲線部の１種又は２種以上だけで構成されているので、例えば、ドレンパン内を検査するためのファイバースコープ、ドレンパン内の凝縮水を外部に排出するための排水用チューブ、ドレンパン内に抗菌材を供給するための抗菌材供給用長尺体、ドレンパンの底部付近に洗浄水を供給するための注水用チューブなど、ドレンパンを保守するのに用いられるフレキシブルな長尺体を外部から容易に且つスムーズにドレンパン内に挿入することができる。したがって、ドレンパンを空気調和機から取り外すことなく、当該ドレンパンの検査や清掃などの保守作業を外部より簡便に行うことができる。
【００１２】
前記通路は、前記ドレンポンプの吸込口よりも高い位置にある高位通路部を有しているので、ドレンパン内の凝縮水が当該通路を通って外部に漏れることがない。
【００１３】
なお、本発明における「通路」には、ドレンパン自体に形成された通路だけではなく、当該ドレンパンとは別体のチューブ、更にはこのようなチューブとドレンパン自体に形成された通路とが組み合わされたものが含まれる。
【００１４】
前記フレキシブルな長尺体を、ドレンパン内を検査するためのファイバースコープ、ドレンパン内の凝縮水を外部に排出するための排水用チューブ、ドレンパン内に抗菌材を供給するための抗菌材供給用長尺体、及びドレンパンの底部付近に洗浄水を供給するための注水用チューブの少なくとも１つとすることができる。このようなファイバースコープ、排水用チューブ、抗菌材供給用長尺体、及び注水用チューブを挿通可能とすることで、ドレンパンの検査や清掃を外部から容易に行うことができる。
【００１５】
前記通路を、ドレンパン内を検査するためのファイバースコープを挿通させる第１通路と、ドレンパン内の凝縮水を外部に排出するための排水用チューブを挿通させる第２通路とからなるものとすることができる。この構成によれば、第１通路に挿通したファイバースコープを用いてドレンパン内を目視にて検査することができ、また第２通路に挿通した排水用チューブを用いてドレンパン内の凝縮水を外部に排出することができる。そして、必要に応じて、ファイバースコープで内部を検査しつつ、凝縮水の排水を行うことができる。
【００１６】
前記通路を、ドレンパン内を検査するためのファイバースコープを挿通させる第１通路と、ドレンパン内の凝縮水を外部に排出するための排水用チューブを挿通させる第２通路と、ドレンパン内に抗菌材を供給するための抗菌材供給用長尺体を挿通させる第３通路とからなる物とすることができる。この構成によれば、第１通路に挿通したファイバースコープを用いてドレンパン内を目視にて検査することができ、また第２通路に挿通した排水用チューブを用いてドレンパン内の凝縮水を外部に排出することができ、更に第３通路を用いてドレンパン内に抗菌材を供給することができる。そして、必要に応じて、ファイバースコープで内部を検査しつつ、凝縮水の排水を行うことができる。
【００１７】
前記第１通路の機内側開口は、前記第２通路の機内側開口よりも上方に配置されているのが好ましい。ファイバースコープが挿通される第１通路の機内側開口が、凝縮水が排出される第２通路の機内側開口よりも上方に配置されているので、高い位置からドレンパンの底部などを観察することができる。したがって、より精度の高い検査を行うことができる。
【００１８】
前記ドレンパン内の凝縮水を外部に排出するための排水用チューブが配設されており、この排水用チューブは、少なくとも空気調和機の運転時において、前記ドレンポンプの吸込口よりも高い位置にある高位通路部を有するものとすることができる。この構成によれば、フレキシブルな長尺体であるファイバースコープが挿通可能な通路を用いてドレンパン内の検査をし、排水用チューブを用いてドレンパン内の凝縮水を外部に排出することができる。この排水用チューブは、使用時に外部から挿通されるものではなく、ドレンパンに固設されるものであるので、排水が可能である限り、そのルートやチューブの曲がり具合に特に制約はない。
【００１９】
前記空気調和機は、空気の吸込口を有する化粧パネルを備えており、
前記通路の出口を、前記化粧パネルの吸込口の上方に配設することができる。この構成によれば、吸込口に装着されている吸込グリルなどをはずすだけで簡単に通路の出口にアクセスすることができるので、ドレンパン内にファイバースコープなどを容易に挿通させることができる。
【００２０】
前記空気調和機は、空気の吸込口を有するとともに、その隅部に着脱自在のコーナーカバーが設けられた化粧パネルを備えており、
前記通路の出口を、前記コーナーカバーの上方に配設することができる。この構成によれば、コーナーカバーをはずすだけで簡単に通路の出口にアクセスすることができるので、ドレンパン内にファイバースコープなどを容易に挿通させることができる。
【００２１】
前記通路の出口に開閉自在の蓋部を配設することができる。この構成によれば、通路の出口からドレンパン内の凝縮水が外部に漏れるのをより確実に防止することができる。また、暖房時などドレンパン内に凝縮水がない場合に熱交換器２次側の空気が吸込側に漏れることを防ぐことができる。更に、虫などがドレンパン内に侵入するのを防ぐこともできる。
【００２２】
前記ドレンパンの側面に、当該ドレンパンの内側底面からの高さを示す目盛りを付すことができる。この構成によれば、例えば、通路内にチューブを挿入し、１度当該チューブ内を吸引して、チューブ先端付近の凝縮水を高位通路部を通過させることにより、ドレンパン内の凝縮水の量を当該ドレンパンの外部にて容易に確認することができる。
【００２３】
前記第３通路の機内側開口に、抗菌材を収容するための保持部を設けることができる。この構成によれば、抗菌材補填用通路を通ってドレンパンの底部付近に補填（供給）した抗菌材がばらつくのを防ぐことができる。また、工場出荷時にドレンパン内に抗菌材を入れておく場合、空気調和機の搬送時などに抗菌材がばらつくことがないので、特に有益である。
【００２４】
前記保持部の少なくとも一部をメッシュ、ネット又は格子で構成することができる。この構成によれば、凝縮水と抗菌材との接触を十分に確保しつつ、当該抗菌材がばらつくのを効果的に防止することができる。
【００２５】
前記通路の出口付近に、当該出口から排出される凝縮水を受ける収容容器を係止するための係止部を配設することができる。この構成によれば、水抜き作業時に凝縮水を受ける収容容器を作業員が持つ必要がなくなり、作業性を大幅に向上させることができる。
【００２６】
前記通路を、前記ドレンパンと、このドレンパンを覆う蓋体とで形成することができる。この構成によれば、ドレンパンと蓋体とで簡単に通路を構成することができる。具体的には、例えばドレンパンに形成された溝部と、この溝部を覆う蓋体とで通路を構成することができ、また、逆に蓋体に形成された溝部とドレンパンとで通路を構成することもできる。
【００２７】
前記通路の出口に、フレキシブルな長尺体であるチューブを接続するための接続具を配設することができる。この構成によれば、接続具を用いることで、通路の出口に、フレキシブルな中空体であるチューブを簡単に接続することができる。そして、このチューブを介してドレンパン内に洗浄水を注入したり、ドレンパン内の凝縮水を外部に排出したりすることができる。
【発明の効果】
【００２８】
本発明の空気調和機によれば、ドレンパン内の検査やドレンパン内への抗菌材の供給を含む当該ドレンパンの保守作業を外部から容易に行うことができる。
【図面の簡単な説明】
【００２９】
【図１】本発明の空気調和機の第１実施形態の側面説明図である。
【図２】本発明の空気調和機の第１実施形態の平面説明図である。
【図３】第１実施形態の要部説明図である。
【図４】第１実施形態のドレン排出時の要部説明図である。
【図５】第１実施形態の各種通路の斜視説明図である。
【図６】第１実施形態におけるファイバースコープ使用時の要部説明図である。
【図７】第１実施形態における抗菌材補填時の要部説明図である。
【図８】ドレンパンの側面に付された目盛りを示す図である。
【図９】本発明の空気調和機の第２実施形態の要部説明図である。
【図１０】第２実施形態の各種通路の斜視説明図である。
【図１１】第２実施形態の変形例の説明図である。
【図１２】本発明の空気調和機の第３実施形態の要部説明図である。
【図１３】第３実施形態のドレン排出時の要部説明図である。
【図１４】本発明の空気調和機の第４実施形態のドレン排出時の要部説明図である。
【図１５】第４実施形態の排水通路及び排水通路蓋を示す斜視図である。
【図１６】本発明の空気調和機の第５実施形態のドレン排出時の要部説明図である。
【図１７】第５実施形態のドレン排出ホースを示す斜視図である。
【図１８】本発明が適用される空気調和機の他の例を示す断面説明図である。
【図１９】図１８に示される空気調和機におけるファイバースコープ使用時の断面説明図である。
【図２０】本発明が適用される空気調和機の更に他の例を示す断面説明図である。
【発明を実施するための形態】
【００３０】
以下、添付図面を参照しつつ、本発明の空気調和機の実施の形態を詳細に説明する。
【００３１】
〔第１実施形態〕
図１は、本発明の第１実施形態に係る空気調和機Ａの側面説明図であり、図２は、同空気調和機Ａの平面説明図であり、図３は、同空気調和機Ａの要部説明図である。この空気調和機Ａは、天井裏に配設される天井埋設型の空気調和機であり、ケーシング１と、化粧パネル１０と、前記ケーシング１内に配設された送風機２０と、この送風機２０を囲むように前記ケーシング１内に配設された熱交換器３０と、この熱交換器３０からの凝縮水を貯留するドレンパン４０と、このドレンパン４０に溜まった前記凝縮水を機外に排出するドレンポンプ５０とを備えている。
【００３２】
ケーシング１は下面が開口した略箱形状を呈しており、鋼板などで作製されている。ケーシング１は、吊金具２（図２参照）に係止される吊ボルト（図示せず）によって天井スラブ又は上階の床スラブから吊り下げられている。また、ケーシング１の内周面には断熱部材３が配設されている。
【００３３】
化粧パネル１０は、前記ケーシング１の下面中央の開口を覆うように配設されており、空調室の空気を吸い込むための吸込口１１と、この吸込口１１の外周において矩形を描くように配置された４つの吹出口１２とを有している。また、矩形状の化粧パネル１０の各隅部には、図２〜３に示されるように、着脱自在のコーナーカバー１３が配設されている。
【００３４】
吸込口１１には、吸込グリル１５と、この吸込グリル１５から吸い込まれた空気中の塵埃などを除去するためのフィルター１６と、このフィルター１６の上方において、吸込口１１から吸い込まれた空気をケーシング１内に案内するベルマウス２１が配設されている。ベルマウス２１は、図示しないネジなどの固着手段によってドレンパン４０に固定されている。
【００３５】
各吹出口１２には、図示しないモータによって当該吹出口１２の長手方向に延びる軸周りに揺動されるフラップ１７が設けられており、このフラップ１７の揺動により、吹出口１２から空調室内に吹出される空気流の向きを変更させることができるようになっている。
【００３６】
送風機２０は、空調室内の空気を前記吸込口１１を通じてケーシング１内に吸い込んで、外周方向に吹き出す遠心送風機であり、当該送風機２０を構成するモータ２２が、防振ゴム２３を介して前記ケーシング１の天板部１ａに固定されている。
【００３７】
熱交換器３０は、送風機２０の外周を囲むように曲げられて形成されたクロスフィンチューブ型の熱交換器パネルであり、屋外などに設置された図示しない室外ユニットに冷媒配管を介して接続されている。この熱交換器３０は、冷房運転時には内部を流れる冷媒の蒸発器として、また、暖房運転時には内部を流れる冷媒の凝縮器としてそれぞれ機能できるように構成されている。そして、熱交換器３０は、吸込口１１を通じてケーシング１内に吸込まれ、送風機２０のファンロータ２４から吹き出された空気と熱交換を行って、冷房運転時には空気を冷却し、暖房運転時には空気を加熱することができる。
【００３８】
ドレンパン４０は、熱交換器３０の下方に配設されており、当該熱交換器３０において空気中の水分が凝縮されて生じる凝縮水を受け止め、貯留する。ドレンパン４０は、合成樹脂などで作製された板状部材であり、ケーシング１の下部に装着されている。
【００３９】
ドレンパン４０の上方には、フロートスイッチ５６（図２参照）からの信号に応じて作動して、当該ドレンパン４０に溜まった凝縮水を機外に排出するドレンポンプ５０が配設されている。このドレンポンプ５０は、その吸込口５１が、ドレンパン４０の底面４４の上方約１０ｍｍに位置するように、防振ゴム５２を介して、ケーシング１に取り付けられたブラケット５３に固定されている。ドレンポンプ５０により吸引された凝縮水は、ドレン配管５４を経由して機外に排出される。なお、図３において、５５は凝縮水を機外へ排出するためのホース（図示せず）が接続されるドレン排出口である。
【００４０】
本実施形態では、ドレンパン４０に第１通路６０ａ、第２通路６０ｂ及び第３通路６０ｃからなる通路６０が設けられている。これらの３つの通路６０ａ、６０ｂ、６０ｃは、図５に示されるように、前記ドレンパン４０に形成された３つの溝部４１ａ、４１ｂ、４１ｃと、この溝部４１を覆う蓋体４２とで形成されている。第１通路６０ａ(図６参照)は、ドレンパン４０の内部を検査するためのファイバースコープ９１（図６参照）を挿通させる通路であり、第２通路６０ｂ（図３〜４参照）は、ドレンパン４０内の凝縮水を外部に排出するための排水用チューブ９２（図４参照）を挿通させる通路であり、第３通路６０ｃ（図７参照）は、ドレンパン４０内に抗菌材を供給するための抗菌材供給用長尺体である供給バー９３（図７参照）を挿通させる通路である。なお、後述するが、第１通路６０ａには、ドレンパン４０内部を洗浄するための洗浄水を注水する注水チューブを挿通させることができる。
【００４１】
図５に示されるように、３つの溝部４１ａ、４１ｂ、４１ｃは、それぞれ、ドレンパン４０の上段部４０ａに形成された、断面が略半円弧状又は略Ｕ字状の溝部４１ａ１、４１ｂ１、４１ｃ１と、前記上段部４０ａとドレンパン４０の側壁４０ｄとがなす角部に配設された傾斜台４５ａ、４５ｂ、４５ｃに形成された溝部４１ａ２、４１ｂ２、４１ｃ２とを含んでいる。第２通路６０ｂを構成する溝部４１ｂは、前記ドレンパン４０の上段部４０ａから更に中段部４０ｂにまで延びて形成されており、最終的にドレンパン４０の下段部（底部）４０ｃにて開口している。ドレンパン４０の下段部（底部）４０ｃは、上方から見て前方後円墳のような形状を呈しており、その矩形の部分に後述する抗菌材を収容する保持部８２が配置され、その円形の部分の上方にドレンポンプ５０の吸込口５１が配置される。
【００４２】
また、ドレンパン４０の中段部４０ｂに対応する蓋体４２の部分４２ａには、前記第１通路６０ａの溝部４１ａ１と連通する溝部４２ｂが形成されており、また第３通路６０ｃの溝部４１ｃ１と連通する溝部４２ｃが形成されている。溝部４２ｃの機内側端部は抗菌材の保持部８２内と連通している。
【００４３】
保持部８２の上面８２ａ、及び溝部４２ｃが開口する面を除く側面８２ｂは、合成樹脂製のネットで構成されている。これにより、ドレンパン４０内の凝縮水と保持部８２内の抗菌材との接触を十分に確保しつつ、当該抗菌材がばらつくのを効果的に防止することができる。なお、凝縮水が通過することができるかぎり、ネットに代えてメッシュ、格子、パンチングメタルなどを用いることができる。
【００４４】
次に第１実施形態において、ドレンパン４０の保守作業を行う方法の一例について説明する。まず、空気調和機Ａの運転時においては、前記通路６０の出口６２は蓋部である栓ないしはプラグ６３によって閉止されている。図３は、第２通路６０ｂの出口６２ｂがプラグ６３ｂにより閉止されている状態を示しているが、第１通路６０ａ及び第３通路６０ｃの各出口も同様にプラグにより閉止されている。また、各通路６０ａ、６０ｂ、６０ｃは、空気調和機Ａの運転時において、前記ドレンポンプ５０の吸込口５１よりも高い位置にある高位通路部６１ａ、６１ｂ、６１ｃを有している。したがって、出口６２をプラグ６３により閉止していることと相俟って、ドレンパン４０内の凝縮水が前記出口６２を通って機外に漏れるのを確実に防止することができる。また、出口６２をプラグ６３により閉止することで、暖房時などドレンパン内に凝縮水がない場合に熱交換器２次側の空気が吸込側に漏れることを防ぐことができる。更に、虫などがドレンパン内に侵入するのを防ぐこともできる。
【００４５】
保守作業を行うに際しては、まず、空気調和機Ａの運転を停止させる。ついで、化粧パネル１０に装着されている吸込グリル１５及びフィルター１６を取り外し、吸込口１１の上方にある各通路の出口６２を閉止しているプラグ６３を取り外す。そして、まず、第２通路６０ｂの出口６２ｂからフレキシブルな長尺体である排水用チューブ９２をドレンパン４０の内部に挿入する。その際、排水用チューブ９２が挿入される第２通路６０ｂは、図３〜４に示されるように、直線部Ｌ、鈍角の屈曲部Ｂ及び曲線部Ｃだけで構成されているので、当該排水用チューブ９２を容易に且つスムーズにドレンパン４０内に挿入することができ、また、引き出すことができる。なお、図４では、排水用チューブ９２の先端は第２通路６０ｂの途中にあるが、実際にはドレンパン４０の底部（下段部）４０ｃまで挿入される。
【００４６】
ついで、適宜の吸引器などを用いて、最初に排水用チューブ９２内を一度吸引するだけで、サイフォンの原理によりドレンパン４０内の凝縮水を排水することができる。この場合、排水用チューブ９２の先端はドレンパン４０の最も低い部位である底部（下段部）４０ｃまで挿入されているので、ドレンパン４０内の凝縮水が略なくなるまで排水することができる。
なお、本実施形態では、例えば図３〜４に示されるように、凝縮水を排出するのに用いられる第２通路６０ｂの出口６２ｂ付近に、排水用チューブ９２から排出される凝縮水を受けるバケツなどの収容容器（図示せず）を係止するための係止部であるフック６４が配設されている。これにより、水抜き作業時に凝縮水を受ける収容容器を作業員が持つ必要がなくなり、作業性を大幅に向上させることができる。
【００４７】
凝縮水を排水した後に、図６に示されるように、第１通路６０ａの出口６２ａよりファイバースコープ９１を挿入してドレンパン４０の内部を検査する。この第１通路６０ａも、前記第２通路６０ｂと同様に直線部Ｌ、鈍角の屈曲部Ｂ及び曲線部Ｃだけで構成されているので、ファイバースコープ９１を容易に且つスムーズにドレンパン４０内に挿入することができ、また、引き出すことができる。本実施形態では、図５に示されるように、ファイバースコープ９１が挿通される第１通路６０ａの機内側開口が、排水用チューブ９２が挿通される第２通路６０ｂの機内側開口よりも上方に配置されているので、高い位置からドレンパン４０の底部などを観察することができる。したがって、より精度の高い検査を行うことができる。
【００４８】
検査の結果、ドレンパン４０の底面４４に塵埃などの塊やスライムが付着していることが判明した場合、一旦、ファイバースコープ９１を第１通路６０ａから引き抜いて、当該第１通路６０ａ内にフレキシブルな長尺体である注水用のチューブ（図示せず）を挿入する。そして、この注水用チューブからドレンパン４０内に洗浄用水を注水して前記塵埃などの塊やスライムの洗浄を行う。洗浄後、ドレンパン４０の底部に残った洗浄水は、排水用チューブ９２を用いて機外に排出する。汚れの程度に応じて、かかる洗浄工程を複数回繰り返す。そして、最後に注水用チューブを第１通路６０ａから引き抜いて、当該第１通路６０ａに再度ファイバースコープ９１を挿入してドレンパン４０内の再検査を行う。
【００４９】
なお、塵埃などの塊やスライムの付着がひどく、洗浄水の注水によってはきれいにすることができない場合は、例えば、ドレンパン４０を空気調和機Ａから取り外して、洗浄することができる。
【００５０】
ファイバースコープ９１によりドレンパン４０内が汚れていないことが確認されると、当該ファイバースコープ９１及び排水用チューブ９２を、それぞれ第１通路６０ａ及び第２通路６０ｂから引き抜き、ついで各通路６０ａ、６０ｂの出口６２ａ、６２ｂをプラグ６３で閉止する。
【００５１】
そして、第３通路６０ｃの出口６２ｃに必要量の抗菌材８３を入れ、フレキシブルな長尺体である供給バー９３を当該第３通路６０ｃに挿入して当該抗菌材８３をドレンパン４０の底部４０ｃに配設されている保持部８２内に押し込むようにして充填する。この第３通路６０ｃも、前記第２通路６０ｂと同様に直線部Ｌ、鈍角の屈曲部Ｂ及び曲線部Ｃだけで構成されているので、供給バー９３を容易に且つスムーズにドレンパン４０内に挿入することができ、また、引き出すことができる。なお、供給バー９３で押し込む代わりに抗菌材の後方から空気を吹き入れてもよい。
【００５２】
必要量の抗菌材８３を充填した後に、第３通路６０ｃの出口６２ｃをプラグ６３で閉止し、吸込グリル１５及びフィルター１６を化粧パネル１０の吸込口１１に取り付けることで保守作業が終了する。
【００５３】
なお、図８に示されるように、前記出口６２が形成されているドレンパン４０の側面４３には、当該ドレンパン４０の内側底面４４からの高さを示す目盛り９０が付されている。したがって、例えば、第２通路６０ｂ内に排水用チューブ９２を挿入し、１度当該排水用チューブ９２内を吸引して、チューブ先端付近の凝縮水を高位通路部６１ｂを通過させることにより、ドレンパン４０内の凝縮水の量を当該ドレンパン４０の外部にて容易に確認することができる。また、据付後の試運転にて水面が下降することを見ることで、ドレンポンプの動作を確認することができる。
【００５４】
〔第２実施形態〕
図９は、本発明の空気調和機Ａの第２実施形態の要部説明図であり、図１０は、第２実施形態の各種通路の斜視説明図である。なお、第２実施形態において、第１実施形態と同一の要素ないしは構成には当該第１実施形態と同一の参照符号を付している。そして、簡潔にするために、それらの共通する要素ないしは構成についての説明は省略する。このことは、以下の第３〜５実施形態についても同様である。
【００５５】
第２実施形態が、前述した第１実施形態と異なる点は、排水用チューブが挿通される第２通路が設けられていないことである。この第２実施形態では、ドレンパン１４０内の凝縮水を排水するための排水用チューブ１９２がドレンパン１４０に形成された溝１６１に固定的に配設されている。換言すれば、必要なときに排水用チューブ１９２を外部からドレンパン内部に挿通させるのではなく、常時、ドレンパン１４０に排水用チューブ１９２が配設されている。したがって、ドレンパン１４０に形成される溝部の構成が第１実施形態と相違している（図５参照）。第１実施形態では、第２通路６０ｂを構成する溝部４１ｂの一部が傾斜台４５ｂに形成されているが、第２実施形態では、これに対応する傾斜台が省略されている。このため、排水用チューブ１９２は、図９に示されるように、略９０度に屈曲された姿勢で配設されている。
【００５６】
第２実施形態では、第１通路１６０ａ及び第３通路１６０ｃが、本発明におけるフレキシブルな長尺体が挿通可能な通路に相当する。第１通路１６０ａは、ドレンパン１４０の内部を検査するためのファイバースコープを挿通させる通路であり、第３通路１６０ｃは、ドレンパン１４０内に抗菌材を供給するための抗菌材供給用長尺体である供給バーを挿通させる通路である。
【００５７】
排水用チューブ１９２の出口側端部の開口１９２ａは、通常は、図示しないキャップやクリップなどで閉止されており、保守作業時には、かかるキャップやクリップがはずされる。そして、第１実施形態において説明をした排水、内部検査、及び抗菌材供給という手順に従って保守作業が行われる。その際、第２実施形態においても、第１通路１６０ａを利用して注水用チューブをドレンパン１４２内に挿入し、この注水用チューブから洗浄水をドレンパン内部に注水することで当該ドレンパン１４２の底面などの洗浄を行うことができる。
【００５８】
図１１は、第２実施形態の変形例を示している。この変形例では、ドレンパン１４０の側面１４０ａに接続具であるソケット１７０が固設されている。そして、ドレンパン１４０に固定的に配設された排水用チューブ１９２の出口側端部１９２ａが、前記ソケット１７０に接続されている。ソケット１７０の開口は、通常、キャップ１７１にて閉止されており、ドレンパン１４０内の凝縮水を排水するときに、このキャップ１７１を取り外して、ソケット１７０にチューブ１７２が接続される。排水用チューブ１９２及びチューブ１７２を介して、ドレンパン１４０内の凝縮水が排出される。
【００５９】
〔第３実施形態〕
図１２は、本発明の空気調和機Ａの第３実施形態の要部説明図であり、図１３は、第３実施形態のドレン排出時の要部説明図である。
【００６０】
第３実施形態が、前述した第１実施形態と異なる点は、排水用チューブが挿通される第２通路が設けられていないことである。この第３実施形態では、ドレンパン２４０内の凝縮水を排水するための排水通路２９２がドレンパン２４０内に形成されている。排水通路２９２の一端は、ドレンパン２４０の底面２４４にて開口しており、他端は当該ドレンパン２４０の側面２４３にて開口している。そして、この側面で開口している箇所には接続具であるソケット２７０が固設されている。ソケット２７０の開口は、通常、キャップ２７１にて閉止されており、ドレンパン２４０内の凝縮水を排水するときに、このキャップ２７１を取り外して、ソケット２７０にチューブ２７２が接続される。排水通路２９２及びチューブ２７２を介して、ドレンパン２４０内の凝縮水が排出される。
【００６１】
なお、図示していないが、この第３実施形態においても、第１実施形態と同様の、ドレンパン２４０の内部を検査するためのファイバースコープを挿通させる第１通路、及びドレンパン２４０内に抗菌材を供給するための抗菌材供給用長尺体である供給バーを挿通させる第３通路が設けられている。
【００６２】
〔第４実施形態〕
図１４は、本発明の空気調和機Ａの第４実施形態のドレン排出時の要部説明図であり、図１５は、第４実施形態の排水通路及び排水通路蓋を示す斜視図である。
【００６３】
第４実施形態が、前述した第１実施形態と異なる点は、排水用チューブが挿通される第２通路が設けられていないことである。この第４実施形態では、ドレンパン３４０内の凝縮水を排水するための排水通路３９２がドレンパン３４０に形成された溝部３４１と、この溝部３４１を覆う蓋体３４２とで構成されている。この排水通路３９２は、第１実施形態における第２通路６０ｂとは異なり、その一部に略９０度の屈曲部３９２ａを有している。
【００６４】
排水通路３９２の一端は、ドレンパン３４０の底部３４０ｃにて開口しており、他端は当該ドレンパン３４０の側面３４３にて開口している。そして、この側面で開口している箇所には接続具であるソケット３７０が固設されている。ソケット３７０の開口は、通常、図示しないキャップ（図１２のキャップ２７１と同様のもの）にて閉止されており、ドレンパン３４０内の凝縮水を排水するときに、このキャップを取り外して、ソケット３７０にチューブ３７２が接続される。排水通路３９２及びチューブ３７２を介して、ドレンパン３４０内の凝縮水が排出される。
【００６５】
なお、図示していないが、この第４実施形態においても、第１実施形態と同様の、ドレンパン３４０の内部を検査するためのファイバースコープを挿通させる第１通路、及びドレンパン３４０内に抗菌材を供給するための抗菌材供給用長尺体である供給バーを挿通させる第３通路が設けられている。
【００６６】
〔第５実施形態〕
図１６は、本発明の空気調和機Ａの第５実施形態のドレン排出時の要部説明図であり、図１７は、第５実施形態のドレン排出ホースを示す斜視図である。
【００６７】
第５実施形態が、前述した第１実施形態と異なる点は、排水用チューブが挿通される第２通路が設けられていないことである。この第５実施形態では、ドレンパン４４０内の凝縮水を排水するための排水用チューブ４９２がドレンパン４４０に固設されている。より詳細には、排水用チューブ４９２の機内側端部付近は、ドレンパン４４０に形成された溝４６１内に配設されており、これに続く機内側部分は、ドレンパン４４０内において露出して配設されている。そして、排水用チューブ４９２は、ドレンパン４４０に形成された孔４４６を通って外部に延設されている。なお、図１７において、４８０は、溝部４６１の開放縁４６１ａにおいて対向して突設された係止部であり、排水用チューブ４９２の機内側端部付近を溝部４６１から抜け出るのを防止している。
【００６８】
本実施形態では、必要なときに排水用チューブ４９２を外部からドレンパン内部に挿通させるのではなく、常時、ドレンパン４４０に排水用チューブ４９２が配設されている。したがって、ドレンパン４４０に形成される溝部の構成が第１実施形態と相違している（図５参照）。
【００６９】
排水用チューブ４９２の出口側端部の開口４９２ａは、通常は、図示しないキャップやクリップなどで閉止されており、保守作業時には、かかるキャップやクリップがはずされる。
【００７０】
なお、図示していないが、この第５実施形態においても、第１実施形態と同様の、ドレンパン４４０の内部を検査するためのファイバースコープを挿通させる第１通路、及びドレンパン４４０内に抗菌材を供給するための抗菌材供給用長尺体である供給バーを挿通させる第３通路が設けられている。
【００７１】
〔他の変形例〕
第１実施形態では、ドレンパン４０の内部を検査するためのファイバースコープ９１を挿通させる第１通路６０ａ、ドレンパン４０内の凝縮水を外部に排出するための排水用チューブ９２を挿通させる第２通路６０ｂであり、及びドレンパン４０内に抗菌材を供給するための抗菌材供給用長尺体である供給バー９３を挿通させる第３通路６０ｃを別々に設けているが、これらは兼用することも可能である。例えば、ファイバースコープ挿通用通路と、排水用通路とを兼用することもでき、更には、ファイバースコープ挿通用通路と、排水用通路と、抗菌材供給用通路とを兼用することもできる。なお、３種類の通路を１つの通路で兼用する場合は、第１実施形態における抗菌材の保持部は設けないほうが、保守作業が容易である。
【００７２】
また、前述した実施形態では、通路の出口を化粧パネルの吸込口の上方に配設しているが、コーナーカバーの上方に配設するようにしてもよい。この場合、コーナーカバーをはずすだけで簡単に通路の出口にアクセスすることができるので、ドレンパン内にファイバースコープなどを容易に挿通させることができる。
【００７３】
また、前述した実施形態では、ドレンパンに形成された溝部と、この溝部を覆う蓋体とによって、通路が形成されているが、蓋体のほうに溝部を形成し、この溝部とドレンパンとで通路を形成することもできる。
【００７４】
また、前述した実施形態に係る空気調和機では、送風機の吹出し側に熱交換器が配設されているが、送風機の吸込み側に熱交換器を配設する対応の空気調和機にも本発明を適用することができる。
【００７５】
また、前述した実施形態では、化粧パネルに空気の吸込口と吹出口が設けられた天井埋設型の空気調和機に本発明が適用されているが、本発明はかかる空気調和機に限定されるものではない。例えば、図１８〜１９に示されるタイプの空気調和機にも適用することができる。
【００７６】
図１８〜１９に示される空気調和機では、化粧パネル６１０に吸込口６１１だけが設けられており、この吸込口６１１に吸込グリル６１５が装着されている。送風機６２０を収容するケーシング６０１の下面開口部と前記化粧パネル６１０とはキャンバスダクト６１４で接続されている。ケーシング６０１内において前記送風機６２０の吹出し側には熱交換器６３０が配設されており、この熱交換器６３０の下方に当該熱交換器６３０からの凝縮水を受けるドレンパン６４０が設けられている。ドレンパン６４０の底部上方には、当該ドレンパン６４０に溜まった前記凝縮水を機外に排出するドレンポンプ６５０が配設されている。熱交換器６３０を通過した空気は、ケーシング６０１の側面開口部に接続されたダクト６１８を介して空調室に送られる。
【００７７】
ドレンパン６４０には、空気調和機を保守するためのフレキシブルな長尺体を、外部から前記ドレンパン６４０の底部６４０ｃ付近まで挿通させることができる通路６６０が設けられており、この通路６６０は、直線部及び曲線部だけで構成されている。この通路６６０の出口は、通常、プラグ６６３により閉止されている。
【００７８】
保守作業を行うには、まず化粧パネル６１０の吸込口部分を開放して、前記通路６６０の出口のプラグ６６３を取り外す。ついで、通路６６０の出口から排水用チューブ（図示せず）をドレンパン６４０の底部６４０ｃまで挿入し、ドレンパン６４０内に溜まった凝縮水を機外に排出する。そして、排水用チューブを通路６６０から引き抜いた後に、図２３に示されるように、ファイバースコープ６９１を通路６６０内に挿入し、ドレンパン６４０の底部６４０ｃ付近の検査を行う。汚れていれば、第１実施形態と同様にして、注水用チューブを介してドレンパン６４０内に洗浄水を注水してドレンパン６４０の底部付近の洗浄を行う。汚れていなければ、又は、汚れが取れたことがファイバースコープ５９１で確認されれば、必要に応じて、前記通路６６０を介してドレンパン６４０内に抗菌材を供給した後に、通路６６０の出口をプラグで閉止し、化粧パネル６１０の吸込口部分を元に戻す。
【００７９】
更に、本発明は、図２０に示されるような天吊型の空気調和機にも適用することができる。この空気調和機は、送風機７２０及びこの送風機７２０の吹出側に配設された熱交換器７３０を収容するケーシング７０１が、図示しない吊金具によって天井から吊り下げられている。ケーシング７０１の下面には、空調室の空気を吸い込む吸込口７１１が設けられており、この吸込口７１１には吸込グリル７１５及びフィルター７１６が配設されている。また、矩形状のケーシング７０１の４つの側面にはそれぞれ吹出口７１２が設けられており、各吹出口７１２には風向きを調整すらためのフラップ７１７が配設されている。
【００８０】
熱交換器７３０の下方に当該熱交換器７３０からの凝縮水を受けるドレンパン７４０が設けられている。ドレンパン７４０の底部上方には、当該ドレンパン７４０に溜まった前記凝縮水を機外に排出するドレンポンプ７５０が配設されている。
【００８１】
ドレンパン７４０には、空気調和機を保守するためのフレキシブルな長尺体を、外部から前記ドレンパン７４０の底部７４０ｃ付近まで挿通させることができる通路７６０が設けられており、この通路７６０は、直線部及び曲線部だけで構成されている。この通路７６０の出口は、通常、プラグ７６３により閉止されている。
【００８２】
図２０に示される空気調和機においても、吸込口７１１を開放させ、当該吸込口７１１の上方にある通路出口を閉止しているプラグ７６３をはずすことで、図１８〜１９の空気調和機の場合と同様の保守作業を始めることができる。
【符号の説明】
【００８３】
１      ケーシング
２      吊金具
３      断熱部材
１０      化粧パネル
１１      吸込口
１２      吹出口
１３      コーナーカバー
１５      吸込グリル
１６      フィルター
１７      フラップ
２０      送風機
２１      ベルマウス
２２      モータ
２３      防振ゴム
２４      ファンロータ
３０      熱交換器
４０      ドレンパン
４０ａ    上段部
４０ｂ    中段部
４０ｃ    下段部（底部）
４０ｄ    側壁
４１      溝部
４２      プラグ（蓋部）
４４      底面
４５      傾斜台
５０      ドレンポンプ
５１      吸込口
５２      防振ゴム
５３      ブラケット
５４      ドレン配管
５５      ドレン排出口
５６      フロートスイッチ
６０      通路
６０ａ    第１通路
６０ｂ    第２通路
６０ｃ    第３通路
６１      高位通路部
６２      出口
６３      プラグ（蓋部）
６４      係止部
８２      保持部
８３      抗菌材
９０      目盛り
９１      ファイバースコープ
９２      排水用チューブ
９３      供給バー
１７０    ソケット（接続具）
Ａ      空気調和機        
【図１】
2011012850.tif 000003
【図２】
2011012850.tif 000004
【図３】
2011012850.tif 000005
【図４】
2011012850.tif 000006
【図５】
2011012850.tif 000007
【図６】
2011012850.tif 000008
【図７】
2011012850.tif 000009
【図８】
2011012850.tif 000010
【図９】
2011012850.tif 000011
【図１０】
2011012850.tif 000012
【図１１】
2011012850.tif 000013
【図１２】
2011012850.tif 000014
【図１３】
2011012850.tif 000015
【図１４】
2011012850.tif 000016
【図１５】
2011012850.tif 000017
【図１６】
2011012850.tif 000018
【図１７】
2011012850.tif 000019
【図１８】
2011012850.tif 000020
【図１９】
2011012850.tif 000021
【図２０】
2011012850.tif 000022